(57)【特許請求の範囲】
【請求項１】
サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合する一方，上記中間連結枠の中空部上下端にそれぞれ上下のガイドローラーを固定したローラー支持ブロックを上下スライド自在に嵌挿するとともに該中間連結枠に配置したクレモン機構のハンドル操作によって，上記ローラー支持ブロック上下のガイドローラーを上記ガイドレール又はこれに平行に設置したガイドレールに対するその長手方向中間位置の相反方向突っ張り状の係合と相反方向引寄せによる解除を自在として，該中間連結枠係合状態のガイドローラー転動によるサッシ戸の引き違い開閉と，中間連結枠係合解除状態のサッシ戸の折畳み開閉の双方を自在としたサッシであって，少なくとも室外側に位置するサッシ戸における中間連結枠のクレモン機構のハンドルを起倒自在とし，その転倒時の中間連結枠からの出幅をサッシ戸召合框間の空隙寸法以下に設定してなることを特徴とする引き違い折畳み自在のサッシ。
【請求項２】
上記クレモン機構のハンドルを，リングハンドルを起倒自在としたリングハンドルのケースハンドルとしてなることを特徴とする請求項１に記載の引き違い折畳み自在のサッシ。
【請求項３】
上記クレモン機構のハンドルを，操作レバーを起倒自在としたレバーハンドルのケースハンドルとしてなることを特徴とする請求項１に記載の引き違い折畳み自在のサッシ。
【請求項４】
上記クレモン機構が，その少なくとも上下一端に中間連結枠のガイドレールに対する係合を付勢状態とする付勢手段を備え，上記ハンドルを該付勢手段に抗して操作自在としてなることを特徴とする請求項２又は３項に記載の引き違い折畳み自在のサッシ。
【発明の詳細な説明】
【０００１】
【発明の属する技術分野】
本発明は，引き違い開閉及び折畳み開閉の双方を選択的になし得るようにした引き違い折畳み開閉自在のサッシに関する。
【０００２】
【従来の技術及び発明が解決しようとする課題】
本発明者は，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠に配置したクレモン機構のハンドル操作によって該中間連結枠の上下を上記ガイドレールに係脱自在に係合することによって該中間連結枠を係合した状態のサッシ戸の引き違い開閉とその係合を解除した状態のサッシ戸の折畳み開閉の双方を自在としたサッシを提案済みである。
【０００３】
この場合，引き違い開閉と折畳み開閉の２種類の開閉を選択的になし得るようにすることができ，引き違いサッシとしての気密性等のサッシ性能を確保するとともにサッシ戸をガイドレール長手方向任意の位置で折畳み開成し得るとともにサッシ戸を折畳み開成することによって窓開口を全開するフルオープンのサッシとして使用することが可能となるが，上記クレモン機構によって中間連結枠のガイドレールに対する係脱を行なうようにすると，サッシ戸の折畳みに必要なグレモン機構操作用のハンドルが室内側に突出するため，これに応じたハンドルスペースが必要となり，室内外サッシ戸の間隔を大きく設定しなければならなくなって，サッシ戸を収容するサッシ枠の見込幅が拡大するとともに室内外サッシ戸の召合框間における気密材の接触不良によってサッシの機密性が損なわれる可能性を招くことになる。
【０００４】
本発明はかかる事情に鑑みてなされたもので，その解決課題とするところは，一般の引き違いサッシにおける見込み幅を維持し得るように見込幅の拡大を防止するとともにサッシ戸閉成時の気密性を高度に確保し得るようにした引き違い折畳み開閉自在のサッシを提供するにある。
【０００５】
【課題を解決するための手段】
上記課題に沿って本発明は，上記中間連結枠係合状態のサッシ戸の引き違い開閉とその係合解除状態のサッシ戸の折畳み開閉の双方を自在としたサッシにおける上記中間連結枠の係脱を，それぞれ上下のガイドローラーを固定したローラー支持ブロックを用いて，該ローラー支持ブロックを上記中間連結枠の中空部上下端に上下スライド自在に嵌挿し，中間連結枠に配置したクレモン機構のハンドル操作によって，ガイドレールに対してその上下のガイドローラーを相反方向突っ張り状に係合し，その係合時にガイドローラーの転動によりサッシ戸を引き違い開閉し，その相反方向引寄せによる係合解除時にサッシ戸を折畳み開閉するようにし，これに用いるクレモン機構を室内側で操作するハンドルを，操作時に室内側に突出して操作可能とする一方，非操作時に中間連結枠からの突出幅を可及的に小さく収納し得るように起倒自在のものとすることによって，室内外サッシ戸の召合框間空隙を，一般の引き違いサッシと同様に数ｍｍ程度に抑制し，サッシ戸の閉成時に召合框間に介設した気密材による高度な気密性を確保し得るようにするとともにハンドルのよるサッシ戸の簡易且つ確実な折畳み操作をなし得るようにしたものであって，即ち請求項１に記載の発明を，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合する一方，上記中間連結枠の中空部上下端にそれぞれ上下のガイドローラーを固定したローラー支持ブロックを上下スライド自在に嵌挿するとともに該中間連結枠に配置したクレモン機構のハンドル操作によって，上記ローラー支持ブロック上下のガイドローラーを上記ガイドレール又はこれに平行に設置したガイドレールに対するその長手方向中間位置の相反方向突っ張り状の係合と相反方向引寄せによる解除を自在として，該中間連結枠係合状態のガイドローラー転動によるサッシ戸の引き違い開閉と，中間連結枠係合解除状態のサッシ戸の折畳み開閉の双方を自在としたサッシであって，少なくとも室外側に位置するサッシ戸における中間連結枠のクレモン機構のハンドルを起倒自在とし，その転倒時の中間連結枠からの出幅をサッシ戸召合框間の空隙寸法以下に設定してなることを特徴とする引き違い折畳み自在のサッシとしたものである。
【０００６】
請求項２及び３に記載の発明は，上記に加えて，それぞれ中間連結枠への設置が容易で簡単且つ確実なクレモン機構の操作をなし得る操作ハンドルとするように，請求項２に記載の発明を，上記クレモン機構のハンドルを，リングハンドルを起倒自在としたリングハンドルのケースハンドルとしてなることを特徴とする請求項１に記載の引き違い折畳み自在のサッシとし，請求項３に記載の発明を，上記クレモン機構のハンドルを，操作レバーを起倒自在としたレバーハンドルのケースハンドルとしてなることを特徴とする請求項１に記載の引き違い折畳み自在のサッシとしたものである。
【０００７】
請求項４に記載の発明は，上記ハンドルのクレモン機構操作によってガイドレール長手方向任意の位置で折畳み可能としたことによって，中間連結枠のクレモン機構によるガイドレールへの係合が不確実になって中間連結枠が揺動して気密性が損なわれるのを防止して，サッシ戸召合框間とともにサッシ戸の気密性確保をなし得るものとするように，これを，上記クレモン機構が，その上端に中間連結枠のガイドレールに対する係合を付勢状態とする付勢手段を備え，上記ハンドルを該付勢手段に抗して操作自在としてなることを特徴とする請求項２又は３項に記載の引き違い折畳み自在のサッシとしたものである。
【０００８】
本発明はこれらをそれぞれ発明の要旨として上記課題解決の手段としたものである。
【０００９】
【発明の実施の形態】
以下図面の例に従って本発明を更に具体的に説明すれば，Ａは引き違い折畳み開閉自在のサッシであり，該サッシＡは，サッシ戸１０を戸先框１１及び召合框１２と，中間連結枠１７を介してこれら框１１，１２間に回動自在に設置した仕切パネル１５によって折畳み可能に構成し，サッシ枠３０の上下枠３１，３２に設置したガイドレール３３にサッシ戸１０の上記戸先框１１及び召合框１２を常時係合する一方，上記中間連結枠１７の中空部上下端にそれぞれ上下のガイドローラー１８を固定したローラー支持ブロック２８を上下スライド自在に嵌挿するとともに該中間連結枠１７に配置したクレモン機構２２のハンドル２６操作によって，上記ローラー支持ブロック２８上下のガイドローラー１８を上記ガイドレール３３に対するその長手方向中間位置の相反方向突っ張り状の係合と相反方向引寄による解除を自在として，該中間連結枠１７係合状態のガイドローラー１８転動によるサッシ戸１０の引き違い開閉と，中間連結枠１７係合解除状態のサッシ戸１０の折畳み開閉の双方を自在としたものとしてあり，本例にあって該サッシＡは，これをサッシ枠３０に２枚のサッシ戸１０を引き違い開閉自在に配置して，各サッシ戸１０を上記折畳み開閉可能とするように構成した，例えばアルミ製又はアルミと樹脂，木材等の複合材料製の肘掛窓乃至テラス窓用サッシとして構成したものとしてある。
【００１０】
本例にあってサッシ戸１０は，戸先框１１，召合框１２，同幅複数，例えば同幅２枚の仕切パネル１５及び中間連結枠１７とを備え，戸先框１１と召合框１２を幅方向両端に配置し，これらの間に仕切パネル１５を回動自在にヒンジ２０連結するとともに仕切パネル１５間に中間連結枠１７を同じく回動自在にヒンジ２０連結して構成し，このとき上記２枚のうち室外側のサッシ戸１０の高さを高く，室内側のサッシ戸１０の高さを低く構成してあり，本例の上記ヒンジ２０連結は，これを，戸先框１１，召合框１２，仕切パネル１５及び中間連結枠１７の連結端部に一体又は一体的に設置した一方の軸受，他方の軸とをそれぞれ１／４円回動自在に嵌合して形成した，連結端部長手方向，即ち上下方向に全長とした，例えばアルミ押出材等によるアルミ等の全面ヒンジによるものとし，これによりヒンジ２０連結を行いながらも，該ヒンジ２０部分の気密性を高度に確保して，サッシ戸１０の気密性を損なわないようにしてある。
【００１１】
本例のサッシ戸１０は，上記戸先框１１及び召合框１２の上端に上吊りローラー１３を配置し，下端に下部スライダー１４を配置し，該上吊りローラー１３及び下部スライダー１４によってガイドレール３３に対する戸先框１１と召合框１２の常時係合を行なう一方，上記中間連結枠１７の中空部上下端には，上記クレモン機構２２におけるロッド２５先端に設置した上記ローラー支持ブロック２８を上下スライド自在に嵌挿するとともに該ローラー支持ブロック２８に，本例にあって溝戸車とした上記上下のガイドローラー１８を固定し，これを中間連結枠１７の上下端から相反方向に突没昇降することによってガイドレール３３ｂに対する係合と係合解除とを行なうようにしてあり，該ガイドローラー１８を上下相反方向に突没昇降することによって，サッシ戸１０をサッシ枠３０の上枠３１及び下枠３２のガイドレール３３が案内してその開閉案内を行なうようにしてある。
【００１２】
本例にあってサッシ枠３０は，一般のサッシ枠と同様に上枠３１，下枠３２，左右の縦枠３４を枠組みして矩形の開口を形成し，上枠３１及び下枠３２に各サッシ戸１０用にガイドレール３３を配置したものとしてあり，該ガイドレール３３は，上枠３１において上記上吊りローラー１３の転動走行用の上吊りレール３３ａと該上吊りレール３３ａに平行にしてその下位に配置した上記中間連結枠１７上端のガイドローラー１８転動走行用下向きの突出レール３３ｂとし，下枠３２において戸先框１１，召合框１２の下部スライダー１４及び中間連結枠１７の下端の各ガイドローラー１８に共通にして上記上枠３１の突出レール３１ａと対向するように配置した下部スライダー１４係合用及びガイドローラー１８転動走行用上向きの突出レール３３ｂとしてあり，該サッシ枠３０における上枠３１の上吊りレール３３ａと下枠３２の突出レール３３ｂに戸先框１１と召合框１２上端の上吊りローラー１３及び下端の下部スライダー１４を常時係合するとともに上枠３１及び下枠３２の突出レール３３ｂに中間連結枠１７のガイドローラー１８をそれぞれ転動自在にして係脱自在に係合してサッシ戸１０を上吊り装着し，該中間連結枠１７におけるガイドローラー１８のガイドレール３３ｂ係合状態でサッシ戸１０のガイドレール３３長手方向への引き違い開閉を自在とする一方，上記クレモン機構２２による該中間連結枠１７における上下端のガイドローラー１８の相反方向引寄せによる係合解除によって該中間連結枠１７をガイドレール３３の室外側交差方向に脱出させ，サッシ戸１０の折畳み開閉を自在とするようにしてある。
【００１３】
このとき上記クレモン機構２２が，その少なくとも上下一端に中間連結枠１７のガイドレール３３に対する係合を付勢状態とする付勢手段を備え，上記ハンドル２６を該付勢手段に抗して操作自在とするようにしてあり，該付勢手段は，上記中間連結枠１７におけるクレモン機構２２の上記ロッド２５と上下のガイドローラー１８との間に設置して該上下のガイドローラー１８をそれぞれ突出方向に付勢状態としたものとしてあり，本例にあって上記付勢手段は，これを，上記ロッド２５の先端に配置したコイルスプリング２７と，上記ロッド２５の先端に配置し該コイルスプリングによって付勢した中間連結枠１７に上下方向スライド自在のローラー支持ブロック２８とを備えて構成し，該ローラー支持ブロック２８の付勢によって該ローラー支持ブロック２８に固定したガイドローラー１８を付勢状態としたものとしてある。
【００１４】
即ち本例にあってクレモン機構２２は，中間連結枠１７の長手方向中間に配置したピニオン２３と，該ピニオン２３にこれとラックピニオンを構成するように配置したラック２４を噛合配置し，該ラックピニオンにおけるピニオン２３の回転によって中間連結枠１７長手方向にして上下相反方向に移動する上下一対のロッド２５とを備えた常法のものを用いて，これを中間連結枠１７の中空部内に内蔵し，中間連結枠１７の上下中間位置にして室内側に設置したハンドル２６の回転操作によって回転軸を介して上記ピニオン２３を回転することによってその作動を行なうようにしてある。
【００１５】
本例の付勢手段におけるコイルスプリング２７は，例えば上記ロッド２５の先端にこれを巻設配置し，その一端のロッド２５への固定状態で他端を上記ローラー支持ブロック２８に固定し，上記上下スライド自在のローラー支持ブロック２８を中間連結枠１７長手方向外方に押圧するように付勢して，例えば中間連結枠１７に配置したストッパーによってその脱出を防止しながら該ローラー支持ブロック２８を付勢状態とするようにし，これによってこれらローラー支持ブロック２８に固定した上下のガイドローラー１８が上下枠３１，３２のガイドレール３３ｂに弾発的に係合し，中間連結枠１７上下端のガイドレール３３に対する係合をガイドレール３３ｂ間突っ張り状の係合とするようにしてある。
【００１６】
該付勢手段による付勢によって，中間連結枠１７の上記上下枠３１，３２，特にそのガイドレール３３への係合をガイドレール３３ｂ間で突っ張り状の係合とすることによって，サッシ戸１０を閉成したときに中間連結枠１７が揺動することなくガイドレール３３に対して確実に保持されるようにして，中間連結枠１７の揺動可能性を可及的に解消し，その揺動音発生や気密性低下を防止し得るようにするとともに上記突っ張り状の係合とするも，ガイドレール３３に対してガイドローラー１８が転動することによってサッシ戸１０のガイドレール３３長手方向への移動を妨げることなく，サッシ戸１０の引き違い開閉をスムーズになし得るようにする一方，ハンドル２６操作によってクレモン機構２２をローラー支持ブロック２８引き下げ方向に作動することによってガイドローラー１８のガイドレール３３ｂに対する係合を解除し，ヒンジ２０の回動によって中間連結枠１７を上下枠から室外側に脱出するようにすることによってその折畳み開閉をスムーズ且つ確実になし得るようにしてある。
【００１７】
クレモン機構２２のハンドル２６は，少なくとも室外側に位置するサッシ戸，本例にあっては室内外双方のサッシ戸１０において起倒自在とし，その転倒時の中間連結枠１７からの出幅をサッシ戸１０の召合框１２間の空隙寸法以下に設定したものとしてあり，本例にあって上記クレモン機構２２の操作ハンドル２６は，これを，リングハンドル２６bを起倒自在としたリングハンドルのケースハンドルとしたものとしてある。
【００１８】
本例のハンドル２６は，室内外サッシ戸１０における各中間連結枠１７長手方向中間位置の室内側にそれぞれケースハンドル２６を埋め込み状乃至添設状に設置し，該リングハンドル２６を操作することによってその回転力をクレモン機構２２における上下ロッド２５間に設置したピニオン２３に伝達し，該ピニオン２３を回転することによってこれに端部を噛合して係合した上下のロッド２５をそれぞれ上下相反方向に昇降し，中間連結枠１７のガイドローラー１８，本例にあっては溝戸車を設置したローラー支持ブロック２８を中間連結枠１７の上下端部から同時に突出乃至没入して，上下枠３１，３２のガイドレール３３に対して中間連結枠１７の係脱を行うようにしてある。
【００１９】
このとき本例の中間連結枠１７は，これを，室外側に位置するサッシ戸１０において室外側に，室内側に位置するサッシ戸１０において室内側にそれぞれサッシ戸１０における室内外の面から突出するように形成し，クレモン機構２２とそのハンドル２６を設置した中間連結枠１７の厚み幅，即ち見込幅がサッシ戸１０間に突出することによって室内外サッシ戸１０の間隔が大きくなり，気密材３５の接触不良等によって気密性が損なわれるのを防止するように，該中間連結枠１７の見込幅をサッシＡの室内外に逃がすようにしたものとしてある。
【００２０】
このように本例にあって見込幅をサッシＡの室内外に逃がして一般のサッシと同程度のサッシ戸間隔を維持するように構成した上記中間連結枠１７における上記クレモン機構２２のハンドル２６に用いたケースハンドルは，そのケース２６ａの突出幅を可及的に小さくしたものを用いるとともに該ケース２６aに配置した，上記クレモン機構２２に回転力を与えるリングハンドル２６ｂは，これを半円状のものとし，その両端を回転軸に固定しその正面側に露出配置した回転バーの両端に起倒回動自在に連結したものとしてあり，リングハンドル２６ｂの回転を行なうことによって上記クレモン機構２２を作動して上記中間連結枠１７の係脱操作を行なうようにしてある。
【００２１】
これによってハンドル２６は，その転倒時，即ちハンドル２６収納時の出幅を可及的に小さくし，本例にあって上記中間連結枠１７の見込幅を室内外に逃がして，室内外サッシ戸１０の間隔を可及的に小さく，例えば一般の引き違いサッシと同様に数ｍｍ程度に設定した本例のサッシＡにおいて，該見込幅を維持した状態とし，室内外サッシ戸１０の召合框１２間に配置した気密材３５が接触不良を生じたりすることなくその接触を確保し，これによってサッシ戸１０閉成時の気密性を高度に確保し得るようにしてある。
【００２２】
図中１６は仕切パネル１５のガラス，２１は召合框１２間に設置したクレセント，２６ａはハンドル２６のケース，２６ｂは同じくハンドル２６のリングハンドル，３５は気密材，３６は戸先框１１に設置した戸当りブロック，３７は上下枠３１，３２の召合框１２位置に設置した風除け板を示す。
【００２３】
図示した例は以上のとおりとしたが，サッシ戸の戸先框及，召合框及び中間連結枠の上下端にそれぞれ上記と同様なガイドローラーを設置し，該ガイドローラーを上下枠の突出レールに常時係合しまた中間連結枠にあっては同様にクレモン機構によって係脱自在に係合するように構成することによって非上吊り形態のものとすること，この場合も中間連結枠に上記付勢手段を用いて気密性の確保を確実になし得るようにすること，上記クレモン機構のハンドルを，操作レバーを起倒自在としたレバーハンドルのケースハンドルによるものとすること等を含めて本発明の実施に当って，サッシ戸，その戸先框，召合框，中間連結枠，クレモン機構，操作ハンドル，サッシ枠，その上下枠，ガイドレール，必要に応じて使用する付勢手段等の具体的形状，構造，材質，これらの関係，これらに対する付加等は，上記発明の要旨に反しない限り様々な形態のものとすることができる。
【００２４】
【発明の効果】
本発明は以上のとおりに構成したから，請求項１に記載の発明は，クレモン機構を室内側で操作するハンドルを，操作時に室内側に突出して操作可能とする一方，非操作時に中間連結枠からの突出幅を可及的に小さく収納し得るように起倒自在のものとすることによって，室内外サッシ戸の召合框間空隙を，一般の引き違いサッシと同様に数ｍｍ程度に抑制し，サッシ戸の閉成時に召合框間に介設した気密材による高度な気密性を確保し得るようにするとともに操作ハンドルのよるサッシ戸の簡易且つ確実な折畳み操作をなし得るようにし，一般の引き違いサッシにおける見込み幅を維持し得るように見込幅の拡大を防止するとともにサッシ戸閉成時の気密性を高度に確保し得るようにした引き違い折畳み開閉自在のサッシを提供することができる。
【００２５】
請求項２及び３に記載の発明は，上記に加えて，それぞれ中間連結枠への設置が容易で簡単且つ確実なクレモン機構の操作をなし得るハンドルとすることができる。
【００２６】
請求項４に記載の発明は，上記ハンドルのクレモン機構操作によってガイドレール長手方向任意の位置で折畳み可能としたことによって，中間連結枠のクレモン機構によるガイドレールへの係合が不確実になって中間連結枠が揺動して気密性が損なわれるのを防止して，サッシ戸召合框間とともにサッシ戸の気密性確保をなし得るものとすることができる。
【図面の簡単な説明】
【図１】  サッシの正面図である。
【図２】  サッシの縦断面図である。
【図３】  サッシ戸における中間連結枠部分の構造を示す縦断面図である。
【図４】  サッシの横断面図である。
【図５】  サッシ戸を折畳んだ状態を示すサッシの横断面図である。
【図６】  ハンドル部分の正面図である。
【図７】  ハンドルの回転軸とクレモン機構のロッドとの関係を示す断面図である。
【符号の説明】
Ａ  サッシ
１０  サッシ戸
１１  戸先框
１２  召合框
１５  仕切パネル
１７  中間連結枠
２２  クレモン機構
２７  スプリング
３０  サッシ枠
３１  上枠
３２  下枠
３３  ガイドレール
【図１】
0003971590.tif 000002
【図２】
0003971590.tif 000003
【図３】
0003971590.tif 000004
【図４】
0003971590.tif 000005
【図５】
0003971590.tif 000006
【図６】
0003971590.tif 000007
【図７】
0003971590.tif 000008